(57)【要約】【課題】  様々な角度からの力に対する反発方向を一定方向に修正するシャフト構造並びにシャフト付機能具を提供する。【解決手段】  ３６０度のほぼ均等となるしなり反発特性を有する管状のシャフト本体と、シャフト本体内縦方向に配置された幅方向へのしなりが極めて少なく各種方向からの力を幅方向にほぼ直交する方向のしなり反発に変換する反発角度調整体とより構成される。【選択図】  図１
2006141920.tif 000002
【特許請求の範囲】
【請求項１】
３６０度のほぼ均等となるしなり反発特性を有する管状のシャフト本体と、シャフト本体内縦方向に配置された略板状の反発角度調整体とよりなり、前記反発角度調整体は幅方向へのしなりが極めて少なく各種方向からの力を幅方向にほぼ直交する方向のしなり反発に変換するものであることを特徴とする方向修正シャフト構造。
【請求項２】
シャフト本体は分割されたものであり、反発角度調整体と一体あるいは別体となっており、シャフト本体と反発角度調整体を合わせることで任意のシャフト体を形成し、該シャフト体はケース状や巻きつけ部材などの補強部材によりしなり特性を維持した状態のものであることを特徴とする請求項１記載の方向修正シャフト構造。
【請求項３】
反発角度調整体はゴルフヘッドやバトミントンラケット等の作用体に対して偏芯位置に取り付けた際に前記作用体の力点位置に合わせてしなり反発を反発角度調整体の幅垂直方向へ導くように湾曲した形状の湾曲肉厚部を有するものであることを特徴とする請求項１又は２記載の方向修正シャフト構造。
【請求項４】
反発角度調整体は上下方向の一部において肉厚が薄くなったものであることを特徴とする請求項１、２又は３記載の方向修正シャフト構造。
【請求項５】
シャフト本体の一部に持ち手や支持部、固定部等の支持機構を有したものであることを特徴とする請求項１、２、３又は４記載の方向シャフト付機能具。
【請求項６】
シャフト本体の一端にゴルフヘッドやバトミントンヘッド等の反発作用利用補助具を有することを特徴とする請求項１、２、３、４又は５記載の方向シャフト付機能具。
【発明の詳細な説明】
【技術分野】
【０００１】  本発明は、様々な角度からの力に対する反発方向を一定方向に修正するシャフト構造並びにシャフト付機能具に関する。
【背景技術】
【０００２】  従来、ゴルフやバトミントン等の運動用シャフトや建材などに使用する建材シャフト、生活用品に使用するシャフト等、利用目的状しなり特性を有するシャフトは、金属性シャフトもしくはカーボン繊維や補助繊維等から形成された非金属性シャフトであり、３６０度の方向に対して均等にしなり反発する筒状のものであった。
また、少ない回転で特許文献１にあげるように回転力を向上させるために、シャフト中間に重りを配置したものがあった。
そのほかに特許文献２にあげるように座屈破壊を防止するために、中間部に複数の円盤状隔壁を構成するものがあった。
【特許文献１】  特開２０００−１８５１１９
【特許文献２】  特開平０９−１４０８３８
【発明の開示】
【発明が解決しようとする課題】
【０００３】  ボールや羽を打った角度や位置に対する反動や振ることにより発生するしなり又はねじれ反発の方向性は、その衝撃や振る作用に影響され、理想とする方向へ修正することができなかった。そのため、使用者が理想の方向へ向けるための技術が要求された。
【課題を解決するための手段】
【０００４】  ３６０度のほぼ均等となるしなり反発特性を有する管状のシャフト本体と、シャフト本体内縦方向に配置された略板状の反発角度調整体とよりなり、前記反発角度調整体は幅方向へのしなりが極めて少なく各種方向からの力を幅方向にほぼ直交する方向のしなり反発に変換する構成よりなる。【０００５】  シャフト本体は分割されたものであり、反発角度調整体と一体あるいは別体となっており、シャフト本体と反発角度調整体を合わせることで任意のシャフト体を形成し、該シャフト体はケース状や巻きつけ部材などの補強部材によりしなり特性を維持した状態のものである。【０００６】  反発角度調整体はゴルフヘッドやバトミントンラケット等の作用体に対して偏芯位置に取り付けた際に前記作用体の力点位置に合わせてしなり反発を反発角度調整体の幅垂直方向へ導くように湾曲した形状の湾曲肉厚部を有する。【０００７】  反発角度調整体は上下の一部において肉厚が薄くなったものである。【０００８】  シャフト本体の一部に持ち手や支持部、固定部等の支持機構を有したものである。【０００９】  シャフト本体の一端にゴルフヘッドやバトミントンヘッド等の反発作用利用補助具を有する。
【発明の効果】
【００１０】  本発明により、異なる角度からの衝撃や作用に対して極めて理想とする方向へのしなりを実現することが可能となった。【００１１】  従来カーボン繊維等によるシャフトを製造する際は、軸に巻きつけて軸を抜く作業が必要となるが、シャフト本体を分割したものにし巻きつけによる補強部材を利用することにより、軸を抜くという作業が不要となった。
また、利用目的に応じて反発角度調整体の形状を変えることにより、より適切な反発角度を得ることが可能となった。【００１２】  反発角度調整体を作用体に対して偏芯位置に取り付けた際に前記作用体の力点位置に合わせてしなり反発を反発角度調整体の幅垂直方向へ導くように湾曲した形状にすることにより、取付位置と利用目的にあわせたしなり特性を得ることを可能とした。【００１３】  反発角度調整体上下の一部において肉厚が薄くなったものにすることにより、利用目的に応じて回転モーメントやしなり特性の対応が可能となった。【００１４】  シャフト本体の一部に持ち手や支持部、固定部等の支持機構を有する方向シャフト付機能具においては、上記効果を操作するためにより使用性と作用効果を向上させることを可能としている。【００１５】シャフト本体の一端にゴルフヘッドやバトミントンヘッド等の反発作用利用補助具を有することを特徴とする請求項１、２、３、４、５又は６記載の方向シャフト付機能具。
【発明を実施するための最良の形態】
【００１６】  以下、本発明の実施の形態について、以下図１〜図９を利用して説明する。
図１は本発明の説明図、図２は本発明のシャフト端面図、図３は本発明の分解端面図、図４は本発明の反発角度調整体を示す斜視図、図５は本発明の反発角度調整体幅方向のシャフト断面図、図６は本発明の反発角度調整体交差方向のシャフト断面図、図７は本発明の使用例における断面図、図８は本発明の使用例における移動説明図図９は本発明の反発力作用の説明図である。
本発明は、シャフト構造とそのシャフト構造を利用した機能物であるが、本事例にいてはゴルフクラブを事例として以下説明する。
図１においてはゴルフドライバーに用いたものである。本発明であるシャフト本体１上端にグリップ４を設け、下端にゴルフヘッド３を設けたものである。また、シャフト本体１とゴルフヘッド３を結合するにおいて、連結部５において固定されている。
このシャフト本体１について以下説明する。
シャフト本体１は金属によるもの、あるいはカーボン繊維あるいはカーボン繊維とその他補強繊維材やチタン箔等を利用した非金属並びに金属と非金属を利用した従来利用されている構造よりなり、単層、複層の構造はとわないものである。
このシャフト本体は、中心に対して３６０度側面からの衝撃や振ることによる作用に対してほぼ均等となるものである。シャフト本体１はグリップ４の取り付け位置方向に向かうにつれ径が大きく、ヘッド取り付け方向である下方向に向かうにつれ径が小さくなっている。また、本事例においてはシャフト本体１の下部が、ヘッド挿入部となり段差を形成して径が小さくなっている。
シャフト本体１の内壁には図２に示すように対抗する位置に上下方向にほぼ同じ深さよりなるガイド溝６が設けられている。
シャフト本体１には、図２に示すようにこのガイド溝６に反発角度調整体２が取り付けられ接着剤や溶接により固定されている。反発角度調整体２は図４に示すように板状のものであり、前記ガイド溝６にぴったり嵌る大きさ形状よりなったものである。つまり、上端から下方に向かうにつれ幅が狭まり、下方部でシャフト本体１のヘッド挿入部の内壁ガイド部６にあわせて反発角度調整体挿入部７が形成されている。反発角度調整体２の特性として、特定のしなり特性を有するものではあるが、幅方向に対しては極めてしなり力のないものである。
反発角度調整体２の取り付け状態を図５並びに図６で説明する。
図５は反発角度調整体２の幅方向に切断した際のシャフト断面図であり、シャフト本体１のガイド溝６にぴったりはまっていることがわかる。これにより、シャフト本体１が反発角度調整体２により反発角度調整体２の幅方向へのしなりを解消するようになっている。図６は反発角度調整体２の幅方向に直交する方向に切断した際のシャフト断面図であり、シャフト本体１と反発角度調整体２の間に空間が形成されることで、しなりを維持することが可能となっている。
シャフト本体１に対してヘッド３を取り付ける角度に関して図７を利用して説明する。図７に示すように、反発角度調整体２はヘッド３のフェイス面１２に対して平行となるように設けられている。本事例ではゴルフクラブとしているが、他の部材を取り付ける場合においても、理想とする可動方向に対して反発角度調整体２が直交するように設けることが好ましい。
また、シャフト本体１と反発角度調整体２は金属、非金属を問わず同じ素材であっても良いが、素材を変えて組み合わせることでしなり反発特性を調整することが可能となる。
本発明は以上の構成よりなっている。【００１７】  以下、本発明の利用方法について図８、図９を利用して説明する。
図８は本発明の使用例における移動説明図、図９は本発明の反発力作用の説明図である。
図８に示すようにゴルフクラブ１０を利用する場合、まず図８ｂのようにヒット位置近くにヘッド３を位置させ、反動を得るために図８ｃの方向へ移動させる。そして、ゴルフクラブを振り、図８ｂの位置でボールを打ち、さらに図８ａの方向へ振りぬく。
この際、まっすぐ振りぬくことが望ましいが、実際には必ずぶれを生じる。このぶれに対して、反発角度調整体２の作用によりぶれ方向の力が反発角度調整体２の幅によるしなり回避効果により解消される。更に、反発角度調整体２により、その力の方向が反発角度調整体２の幅方向に直交する方向に変換される。
また、ボールにあたる衝撃がこれに加わる。つまり、図９に示すように斜めに衝撃および振りのぶれによる作用ベクトル１３ａが働く。この作用ベクトル１３は反発角度調整体２の幅方向を基準とした場合、直交する方向への作用ベクトル１３ｃと、反発角度調整体２の幅方向に平行する作用ベクトル１３ｂに分けることができる。これに対して作用ベクトル１３ｂは反発角度調整体２の幅方向への衝撃を解消する作用により軽減され反発ベクトル１４ｂとなる。作用ベクトル１３ｃは反発角度調整体２にほとんど影響を受けないので反発ベクトル１４ｃとなる。結果、ヘッドには反発ベクトル１４ａが働き、理想方向にきわめて近い方向への修正がなされる。これを利用することで、誰でも理想方向への打ち出しを可能とすることができる。【００１８】  以下、本発明の第２実施の形態について、以下図１０、図１１を利用して説明する。
図１０は本発明の他の事例における断面図、図１１は本発明の他の事例における分解図である。
本発明においてシャフトは２つのシャフト構成体１５と、これを固定するシャフト外部構成体１６により構成される。それぞれ、金属によるもの、あるいはカーボン繊維あるいはカーボン繊維とその他補強繊維材やチタン箔等を利用した非金属並びに金属と非金属を利用した従来利用されている構造よりなり、単層、複層の構造はとわないものである。
シャフト外部構成体１６はシャフトを縦に２分割したものに反発角度調整体２をそれぞれの端辺にかかるように一体に形成されたものである。
シャフト外部構成体１６はシャフト外形形状となっており、内部にシャフト構成体１５ａ、とシャフト構成体１５ｂを結合した状態でぴったりあたる形状よりなる。
シャフト外部構成体１６としては、あらかじめ同形状にしたものでもよいし、内部にシャフト構成体１５を結合したものにカーボン繊維やチタン箔など従来シャフトに利用される素材をまき付け構成したものであってもよい。
本発明は以上の構成よりなる。【００１９】  本発明においては結合した状態で、前記第一実施の形態と同様の効果をえることができる。
利用目的に応じて反発角度調整体の厚みや形状を変えることにより、より適切な反発角度を得ることもかのうとなる。
また、破損や損傷が生じた際には、その一方のみを低価格による補修が可能となった。【００２０】  以下、本発明の第３実施の形態について、以下図１３〜図１５を利用して説明する。
図１３は本発明の他の事例における端面図、図１４は本発明の他の事例における移動説明図、図１５は本発明の他の事例における反発力作用の説明図である。
本発明は、シャフトをゴルフヘッド等に偏芯して取り付けた際に、より効果を得るものである。
前記各実施の形態においては反発角度調整体２の厚みが均等となっているが、本発明においては上面から見た場合左側面側がへこんだ湾曲形状となっている。このへこみの最深部は手前よりとなったものである。
これは図１４に示すようにシャフトをゴルフヘッド等の取り付け物に対して手前側に偏芯した状態で取り付けた場合の事例である。
反発角度調整体２の厚みが均等となったものである場合、多少ではあるがねじれが発生する可能性がある。例えば、ゴルフクラブであればヘッドの先端にボールが当たった場合、ねじれが生じ若干斜め前方に打ち出される危険性がある。
この問題が本発明により解消される。本発明を利用した場合、ヘッド先端にボールがあたりねじれに対する力が働いても図示された湾曲した厚み形状により図１５に示すように分散解消される。
この湾曲の最深部に関しては、取り付け物に対して中央に取り付けるのであれば図１６に示すように中央の位置に、取り付け物に対して奥よりに取り付けるのであれば奥よりの位置となる。【００２１】  以下、その他各種実施事例についてまとめて説明する。
図１２の事例においては、反発角度調整体２はシャフト本体の外周まで届く幅のものであり、これをシャフト構成体１５で挟みこむことで、全体がシャフト形状となる。尚、図示されていないが、あわせた状態で接合面を接着し、前記事例でのべたものと同様にシャフト外部構成体１６でシャフトとする。
図１７の事例においては反発角度調整体２の幅を変えたものである。厚みに関しては、前記各事例であげたものがそれぞれ利用可能である。利用目的に応じ幅を変えることにより、横方向への影響をかえたものである。
図１７ａは先端に向かうにつれ幅が狭まっている。ルアーを利用した釣竿などに有効であり、投げる際は上部の厚みにより目的方向へしなりルアーを投げることが可能である。魚を釣り上げる際、左右への引きが生じるので、これに関しては先端が幅が狭くなっているために引きにあわせて３６０度しなることができるようになっている。
図１７ｂは中央の幅がせまくなったものであり、図１７ｃは中央よりやや下位置の幅が狭くなったものである。
以上、各種実施形態においてはゴルフシャフトを例に説明しているためヘッド挿入部があり、シャフトの形状が限定されているが利用目的においては、シャフト本体１と反発角度調整体２の構造組み合わせ以外に関しては各種対応が可能である。【００２２】  図１８は、反発角度調整体２が積層状となり接着あるいは溶着により結合されたものであり、これにより厚みが調整されている。図においては、積層体１７ａがベースとなっており、この片面に積層体１７ｂから１７ｅまで、上下端位置をあわせるように設けられている。積み重ねられた積層体１７の中央より端部は弧状となっているが、形状はこれに限定されず、全体が細長い長方形状となったものでもよい。また、図においては片面を積層構造としているが、両面を積層構造とするものであってもよい。あわせて、用途により各積層体１７の素材および厚みは各種選択が可能である。
この反発角度調整体２に対し、前記各実施の形態であげた方法でシャフト本体１をとりつけシャフトとする。
図においては中央が薄くなるものとして説明しているが、これに関しては用途に応じてその位置を変えて対応を図ることができるものである。
【図面の簡単な説明】
【００２３】
【図１】  本発明の説明図
【図２】  本発明のシャフト端面図
【図３】  本発明の分解端面図
【図４】  本発明の反発角度調整体を示す斜視図
【図５】  本発明の反発角度調整体幅方向のシャフト断面図
【図６】  本発明の反発角度調整体交差方向のシャフト断面図
【図７】  本発明の使用例における断面図
【図８】  本発明の使用例における移動説明図
【図９】  本発明の反発力作用の説明図
【図１０】  本発明の他の事例における断面図
【図１１】  本発明の他の事例における分解図
【図１２】  本発明の他の事例における断面図
【図１３】  本発明の他の事例における断面図
【図１４】  本発明の他の事例における移動説明図
【図１５】  本発明の他の事例における反発力作用の説明図
【図１６】  本発明の他の事例における断面図
【図１７】  本発明の他の事例における反発角度調整体の右側面図
【図１８】  本発明の他の事例に関する斜視図
【符号の説明】
【００２４】１  シャフト本体、
２；２ａ；２ｂ；２ｃ  反発角度調整体
３  ヘッド、
４  グリップ、
５  連結部、
６  ガイド溝、
７  反発角度調整体挿入部、
８  ヘッド挿入部、
９  調整体横基軸、
１０  ゴルフクラブ、
１１  ；１１ａ；１１ｂ  シャフト構成体挿入部、
１２  フェイス面、
１３；１３ａ；１３ｂ；１３ｃ  作用ベクトル、
１４；１４；ｂ１４ｃ  反発ベクトル、
１５；１５ａ；１５ｂ  シャフト構成体、
１６  シャフト外部構成体、
１７；１７ａ；１７ｂ；１７ｃ；１７ｄ；１７ｅ  積層体
【図１】
2006141920.tif 000003
【図２】
2006141920.tif 000004
【図３】
2006141920.tif 000005
【図４】
2006141920.tif 000006
【図５】
2006141920.tif 000007
【図６】
2006141920.tif 000008
【図７】
2006141920.tif 000009
【図８】
2006141920.tif 000010
【図９】
2006141920.tif 000011
【図１０】
2006141920.tif 000012
【図１１】
2006141920.tif 000013
【図１２】
2006141920.tif 000014
【図１３】
2006141920.tif 000015
【図１４】
2006141920.tif 000016
【図１５】
2006141920.tif 000017
【図１６】
2006141920.tif 000018
【図１７】
2006141920.tif 000019
【図１８】
2006141920.tif 000020